(57)【要約】【課題】  コンパクトで、自動実装が可能で、しかも、搭載時の倒れを防止できる基板搭載用コネクタを提供する。【解決手段】  ハウジング２の下部左側（手前側と向側）には、各拡張下部２ａ，２ｂがそれぞれ突出するように形成されている。各拡張下部の底面には、断面円形状の第１のボス２ａ１，２ｂ１がそれぞれ形成されている。また、シェル４の中央下部の手前側と向側には、断面長方形状の第３のボス４ａ，４ｂがそれぞれ形成されている。更に、シェルの後側中央下部には、断面長方形状の第２のボス４ｃが形成されている。基板１１には、左側に２つの円形のスルーホール１１ａ，１１ｂ、中央に２つの長方形のスルーホール１１ｃ，１１ｄ、右側に１つの長方形のスルーホール１１ｅが、それぞれ開けられている。コネクタの各ボス２ａ１，２ｂ１，４ａ，４ｂ，４ｃを基板の各スルーホール１１ａ，１１ｂ，１１ｃ，１１ｄ，１１ｅにそれぞれ挿入すると、コネクタは基板に搭載される。【選択図】  図１
2007059227.tif 000002
【特許請求の範囲】
【請求項１】
基板に搭載され、前記基板と接続するコネクタにおいて、
前記コネクタは、ハウジングと、前記ハウジングに保持される複数のコンタクトとを有し、
前記ハウジングは、前記各コンタクトの配列方向と直交する幅方向において、前記ハウジングの一方側に、同一方向に突出する一対の支持部を有し、前記各支持部は、前記基板の一対のスルーホールにそれぞれ挿入される第１のボスを有し、
前記コネクタは、前記ハウジングの他方側に、前記基板の少なくとも１つの他のスルーホールに挿入される少なくとも１つの第２のボスを有することを特徴とする基板搭載用コネクタ。
【請求項２】
前記コネクタは、前記各コンタクトの配列方向と直交する幅方向において、前記各第１のボスと前記第２のボスとの中間に前記基板の一対の更に他のスルーホールにそれぞれ挿入される一対の第３のボスを有することを特徴とする請求項１記載の基板搭載用コネクタ。
【請求項３】
前記コネクタは、更に、シェルを有し、前記第２のボス及び前記各第３のボスは、前記シェルに形成されていることを特徴とする請求項２記載の基板搭載用コネクタ。
【発明の詳細な説明】
【技術分野】
【０００１】
本発明は、嵌合面が基板と平行で、高さが概して高いコネクタに関し、詳しく述べると、フック又は圧入構造を採用せずに、搭載時の倒れが防止可能な基板搭載用コネクタに関する。
【背景技術】
【０００２】
従来の基板搭載用コネクタについて図７と図８を参照して説明する。図７は、コネクタ２１の側面図、図８は、基板３１に実装されたコネクタ２１の上面図を、それぞれ示す。
【０００３】
コネクタ２１は、絶縁材料製のハウジング２２と、ハウジング２２に一定のピッチで整列されている多数のコンタクト２３と、各コンタクト２３及びハウジング２２を被覆するシェル２４とから構成される。
【０００４】
図７に示されるように、ハウジング２２の下部の左右両側には、拡張下部２２ａ，２２ｂが突出するように形成されている。また、シェル２４の中央下部の手前側と向側には、それぞれ断面長方形状のボス２４ａ，２４ｂが形成されている。更に、シェル２４の後側中央下部には、断面長方形状のボス２４ｃが形成されている。
【０００５】
コネクタ２１の各ボス２４ａ，２４ｂ，２４ｃを基板３１に開けられている各スルーホール（図示せず）にそれぞれ挿入すると、図８に示される状態に至る。コネクタ２１の各コンタクト２３は、基板３１の各接点パターン（図示せず）と接続し、コネクタ２１の嵌合口２１ａに相手側コネクタ（図示せず）の接続部が嵌合することができる。
【０００６】
なお、この種の基板搭載用コネクタは、本出願前に頒布された刊行物に記載されている（例えば、特許文献１，２参照。）。
【０００７】
【特許文献１】実用新案登録第２５０００３６号公報
【特許文献２】実用新案登録第２５４９６４４号公報
【発明の開示】
【発明が解決しようとする課題】
【０００８】
前記従来の基板搭載用コネクタでは、搭載時の倒れを防止するために、次の手段が講じられている。
【０００９】
１．コネクタ２１の底面部の両側に拡張下部２２ａ，２２ｂを形成すること。
【００１０】
２．コネクタ２１の各ボス２４ａ，２４ｂ，２４ｃを基板３１の各スルーホールにそれぞれ圧入すること。
【００１１】
３．コネクタ２１をフック（図示せず）によって基板３１に固定すること。
【００１２】
しかし、前記１の手段では、コネクタが大型化するので、コンパクト化の要求に対応することができない。
【００１３】
前記２の手段では、搭載時に上からコネクタを押して、各ボスを各スルーホールにはめ込まなければならない。相手側コネクタが嵌合する嵌合面が基板と平行なコネクタは、自動実装の際、嵌合面にテープ等を貼付されることにより吸着されるから、コネクタに押される箇所がないので、自動実装は不可能である。
【００１４】
前記３の手段では、前記２の手段と同様の欠点が生じる。
【００１５】
そこで、本発明は、前記従来の基板搭載用コネクタの欠点を改良し、コンパクトで、自動実装が可能で、しかも、搭載時の倒れを防止することができる基板搭載用コネクタを提供しようとするものである。
【課題を解決するための手段】
【００１６】
本発明は、前記課題を解決するため、次の手段を採用する。
【００１７】
１．基板１１に搭載され、前記基板と接続するコネクタ１において、前記コネクタは、ハウジング２と、前記ハウジングに保持される複数のコンタクト３とを有し、前記ハウジングは、前記各コンタクトの配列方向と直交する幅方向において、前記ハウジングの一方側に、同一方向に突出する一対の支持部２ａ，２ｂを有し、前記各支持部は、前記基板の一対のスルーホール１１ａ，１１ｂにそれぞれ挿入される第１のボス２ａ１，２ｂ１を有し、前記コネクタは、前記ハウジングの他方側に、前記基板の少なくとも１つの他のスルーホール１１ｅに挿入される少なくとも１つの第２のボス４ｃを有する基板搭載用コネクタ。
【００１８】
２．前記コネクタは、前記各コンタクトの配列方向と直交する幅方向において、前記各第１のボスと前記第２のボスとの中間に前記基板の一対の更に他のスルーホール１１ｃ，１１ｄにそれぞれ挿入される一対の第３のボス４ａ，４ｂを有する前記１記載の基板搭載用コネクタ。
【００１９】
３．前記コネクタは、更に、シェル４を有し、前記第２のボス及び前記各第３のボスは、前記シェルに形成されている前記２記載の基板搭載用コネクタ。
【発明の効果】
【００２０】
明細書の説明から明らかなように、本発明は、次の効果を奏する。
【００２１】
１．従来の基板搭載用コネクタにおける２つの拡張下部の一方を除去できるので、コネクタをコンパクトに構成することができる。
【００２２】
２．各ボスを基板の各スルーホールにそれぞれ単に挿入することにより、基板搭載用コネクタは基板に搭載されるから、自動実装が可能であるので、便利である。
【００２３】
３．ハウジングの一対の第１のボスと、コネクタの少なくとも１つの第２のボスとが、それぞれ基板の各スルーホールに挿入されるので、搭載時のコネクタの倒れを防止することができる。
【発明を実施するための最良の形態】
【００２４】
本発明の一実施例の基板搭載用コネクタについて説明する。
【実施例１】
【００２５】
本発明の実施例１について図１〜図６を参照して説明する。
【００２６】
図１は、コネクタ１が基板１１に搭載される前の状態の側面図である。ただし、基板１１は、断面図である。
【００２７】
コネクタ１は、絶縁材料製のハウジング２と、ハウジング２に一定のピッチで整列されている多数のコンタクト３（図５参照）と、各コンタクト３及びハウジング２を被覆するシェル４とから構成される。
【００２８】
図１と図５に示されるように、ハウジング２の下部左側（手前側と向側）には、各拡張下部２ａ，２ｂがそれぞれ突出するように形成されている。図５に示されるように、各拡張下部２ａ，２ｂの底面には、断面円形状の第１のボス２ａ１，２ｂ１（図５，６参照）がそれぞれ形成されている。また、シェル４の中央下部の手前側と向側には、断面長方形状の第３のボス４ａ，４ｂがそれぞれ形成されている。更に、シェル４の後側中央下部には、断面長方形状の第２のボス４ｃが形成されている。
【００２９】
基板１１には、左側に２つの円形のスルーホール１１ａ，１１ｂ、中央に２つの長方形のスルーホール１１ｃ，１１ｄ、右側に１つの長方形のスルーホール１１ｅが、それぞれ開けられている。
【００３０】
コネクタ１の各ボス２ａ１，２ｂ１，４ａ，４ｂ，４ｃを基板１１の各スルーホール１１ａ，１１ｂ，１１ｃ，１１ｄ，１１ｅにそれぞれ挿入すると、図２に示される状態に至る。
【００３１】
この状態では、コネクタ１の下部左側の周辺の基板１１上は、障害物がない「非制限エリア」であるから、コネクタ１に各拡張下部２ａ，２ｂが形成されていても、支障がない。コネクタ１の下部右側の周辺の基板１１上は、障害物がある「制限エリア」であるから、コネクタ１に拡張下部が形成されていない。
【００３２】
図２に示される状態において、コネクタ１の各コンタクト３は、基板１１の各接点パターン（図示せず）と接続し、コネクタ１の嵌合口１ａに相手側コネクタ（図示せず）の接続部が嵌合することができる。
【００３３】
図３は、コネクタ１の各ボス２ａ１，２ｂ１，４ｃの径と基板１１の各スルーホール１１ａ，１１ｂ，１１ｅの径との大小関係を示し、２ａ１，２ｂ１＜１１ａ，１１ｂ、４ｃ＜１１ｅである。
【００３４】
コネクタ１の各ボス４ａ，４ｂは、コネクタ１が図４に示されるように傾倒するときの回転中心となるので、各ボス４ａ，４ｂの径と基板１１のスルーホール１１ｃ，１１ｄの径との大小関係は、厳格性を要しない。
【００３５】
コネクタ１が所定の角度傾倒すると、コネクタ１の各ボス２ａ１，２ｂ１は基板１１の各スルーホール１１ａ，１１ｂと干渉し、コネクタ１のボス４ｃは基板１１のスルーホール１１ｅと干渉する。したがって、この所定の角度以上へは、コネクタ１は傾倒を阻止される。
【００３６】
実施例１における第３のボス４ａ，４ｂを省略し、第１のボス２ａ１，２ｂ１と第２のボス４ｃによっても、コネクタ１は、所期の目的を達成することができる。
【図面の簡単な説明】
【００３７】
【図１】本発明の実施例１の基板搭載用コネクタが基板に搭載される前の状態の側面図である。
【図２】同コネクタが同基板に搭載された状態の側面図である。
【図３】同コネクタのボスの径と同基板のスルーホールの径との大小関係を示す側面図である。ただし、同基板は、断面図である。
【図４】同コネクタが同基板に対して所定の角度傾倒した状態の側面図である。ただし、同基板は、断面図である。
【図５】同コネクタが同基板に搭載された状態を前方から見た斜視図である。
【図６】同コネクタが同基板に搭載された状態を後方から見た斜視図である。
【図７】従来の基板搭載用コネクタの側面図である。
【図８】同コネクタが基板に搭載された状態の平面図である。
【符号の説明】
【００３８】
１  コネクタ（基板搭載用コネクタ）
１ａ  嵌合口
２  ハウジング
２ａ  拡張下部
２ａ１  第１のボス
２ｂ  拡張下部
２ｂ１  第１のボス
３  コンタクト
４  シェル
４ａ  第３のボス
４ｂ  第３のボス
４ｃ  第２のボス
１１  基板
１１ａ  スルーホール
１１ｂ  スルーホール
１１ｃ  スルーホール
１１ｄ  スルーホール
１１ｅ  スルーホール
【図１】
2007059227.tif 000003
【図２】
2007059227.tif 000004
【図３】
2007059227.tif 000005
【図４】
2007059227.tif 000006
【図５】
2007059227.tif 000007
【図６】
2007059227.tif 000008
【図７】
2007059227.tif 000009
【図８】
2007059227.tif 000010